(57)【要約】    【課題】      ＩＰ電話装置において内線発呼とは別の方式を用いて簡易に通話を行うこと。    【解決手段】  自動的に音声入出力手段を起動して通話可能な状態となるインターホン通話により通話可能な複数のＩＰ電話装置１０１〜１０６から構成されるＩＰ電話システムにおいて、送信側のＩＰ電話装置１０１から通信プロトコルに規定された”ＩＮＶＩＴＥリクエスト”中にインターホン通話を示す情報を設定して受信側のＩＰ電話装置１０２に送出し、受信側のＩＰ電話装置１０２でインターホン通話を示す情報が設定された”ＩＮＶＩＴＥリクエスト”を検出すると、音声入出力手段を自動的に起動し、送信側のＩＰ電話装置１０１との間で通話可能とする。  【選択図】      図６
2005191729.tif 000002
【特許請求の範囲】
【請求項１】
通信プロトコルに規定されたメッセージに、相手装置が自動的に音声入出力手段を起動して通話可能な状態となるインターホン通話を示す情報を設定する設定手段と、前記メッセージを相手装置に対して送出する送信手段と、前記設定手段に対してインターホン通話を示す情報の設定を指示する制御手段と、を具備し、前記送信手段でインターホン通話を示す情報を設定したメッセージを送出した後、相手装置と通話可能とすることを特徴とするＩＰ電話装置。
【請求項２】
装置本体の使用者からインターホン通話による通話指示を受け付ける指示手段を具備し、前記制御手段は、前記指示手段がインターホン通話による通話指示を受け付けると、前記設定手段に前記メッセージ中にインターホン通話を示す情報の設定を指示することを特徴とする請求項１記載のＩＰ電話装置。
【請求項３】
前記指示手段に、インターホン通話により通話を行う相手装置の識別情報が対応付けられていることを特徴とする請求項２記載のＩＰ電話装置。
【請求項４】
前記送信手段でインターホン通話を示す情報を設定したメッセージを送出した後、相手装置から呼び出し中の応答メッセージを検出した場合、相手装置における着信動作に応じて通話可能とすることを特徴とする請求項１から請求項３のいずれかに記載のＩＰ電話装置。
【請求項５】
通信プロトコルに規定されたメッセージを受信する受信手段と、前記メッセージの設定内容に応じて音声入出力手段の起動又は停止を指示する制御手段とを、具備し、前記制御手段は、自動的に音声入出力手段を起動して通話可能な状態となるインターホン通話を示す情報が設定された前記メッセージを前記受信手段で受信すると、自動的に前記音声入出力手段を起動して相手装置と通話可能とすることを特徴とするＩＰ電話装置。
【請求項６】
インターホン通話による通話を許可する発信者情報を記憶する記憶手段を具備し、前記制御手段は、前記メッセージ中に含まれる発信者情報が前記記憶手段の発信者情報と一致する場合、前記音声入出力手段を自動的に起動して相手装置と通話可能とすることを特徴とする請求項５記載のＩＰ電話装置。
【請求項７】
インターホン通話による通話を許可する発信者情報を記憶する記憶手段を具備し、前記制御手段は、前記メッセージ中に含まれる発信者情報が前記記憶手段の発信者情報と一致しない場合、着信音を鳴動し装置本体の使用者による着信動作を検出すると前記音声入出力手段を起動して、相手装置と通話可能とすることを特徴とする請求項５記載のＩＰ電話装置。
【請求項８】
前記制御手段は、インターホン通話による通話を行っている場合に相手装置から切断を示すメッセージを検出すると前記音声入出力手段を停止することを特徴とする請求項５又は請求項６記載のＩＰ電話装置。
【請求項９】
前記メッセージ又は応答メッセージは、ＳＩＰプロトコルに規定されたメッセージ又は応答メッセージであることを特徴とする請求項１から請求項８のいずれかに記載のＩＰ電話装置。
【請求項１０】
自動的に音声入出力手段を起動して通話可能な状態となるインターホン通話により通話可能な複数のＩＰ電話装置から構成されるＩＰ電話システムであって、送信側のＩＰ電話装置から通信プロトコルに規定されたメッセージ中にインターホン通話を示す情報を設定して受信側のＩＰ電話装置に送出し、受信側のＩＰ電話装置でインターホン通話を示す情報が設定された前記メッセージを検出すると前記音声入出力手段を自動的に起動し、送信側のＩＰ電話装置との間で通話可能とすることを特徴とするＩＰ電話システム。
【請求項１１】
自動的に音声入出力手段を起動して通話可能な状態となるインターホン通話により通話可能な複数のＩＰ電話装置を用いた通話方法であって、送信側のＩＰ電話装置から通信プロトコルに規定されたメッセージ中にインターホン通話を示す情報を設定して受信側のＩＰ電話装置に送出し、受信側のＩＰ電話装置でインターホン通話を示す情報が設定された前記メッセージを検出すると前記音声入出力手段を自動的に起動し、送信側のＩＰ電話装置との間で通話可能とすることを特徴とする通話方法。
【発明の詳細な説明】
【技術分野】
【０００１】
本発明は、ＩＰネットワークに接続された電話装置間で簡易に通話を行うＩＰ電話装置及びＩＰ電話システム並びに通話方法に関する。
【背景技術】
【０００２】
従来、役員室に在室の役員などに対し秘書が簡易に連絡を取る方法として、内線番号を押下して発呼するのとは別に呼び出しを行う方法がある。この従来の方法は、幹部用に用意された端末（以下、「幹部端末」という）と秘書用に用意された端末（以下、「秘書端末」という）とが共通のライン（幹部ライン）で接続されるとともに、共通のインターコムラインでも接続され、秘書端末よりインターコムラインキーをオンするとインターコムラインテーブルから幹部端末の内線番号を抽出し幹部端末に着信処理を行う（例えば、特許文献１参照）。
【特許文献１】特開平７−２８４１３２号公報
【発明の開示】
【発明が解決しようとする課題】
【０００３】
しかしながら、上記従来の技術においては、以下のように問題が生ずる。
【０００４】
即ち、従来の技術はアナログ電話装置にのみ適用可能な方法であり、ＩＰ電話装置に適用することができないという問題がある。
【０００５】
また、秘書端末と幹部端末との間において通話を行う際、被呼者である役員は、通常の着信と同様に幹部端末の受話部を手に取って会話しなくてはならず、使い勝手が悪いという問題がある。
【０００６】
本発明は、かかる問題点に鑑みて為されたものであり、ＩＰ電話装置において内線発呼とは別の方式を用いて簡易に通話を行うことができるＩＰ電話装置及びＩＰ電話システム並びに通話方法を提供することを目的とする。
【課題を解決するための手段】
【０００７】
本発明は、自動的に音声入出力手段を起動して通話可能な状態となるインターホン通話により通話可能な複数のＩＰ電話装置から構成されるＩＰ電話システムにおいて、送信側のＩＰ電話装置から通信プロトコルに規定されたメッセージ中にインターホン通話を示す情報を設定して受信側のＩＰ電話装置に送出し、受信側のＩＰ電話装置でインターホン通話を示す情報が設定された前記メッセージを検出すると前記音声入出力手段を自動的に起動し、送信側のＩＰ電話装置との間で通話可能とするようにしたものである。
【発明の効果】
【０００８】
本発明に係るＩＰ電話装置及びＩＰ電話システム並びに通話方法によれば、ＩＰ電話装置において内線発呼とは別の方式を用いて簡易に通話を行うことができる。
【発明を実施するための最良の形態】
【０００９】
本発明の第１の態様に係るＩＰ電話装置は、通信プロトコルに規定されたメッセージに、相手装置が自動的に音声入出力手段を起動して通話可能な状態となるインターホン通話を示す情報を設定する設定手段と、前記メッセージを相手装置に対して送出する送信手段と、前記設定手段に対してインターホン通話を示す情報の設定を指示する制御手段と、を具備し、前記送信手段でインターホン通話を示す情報を設定したメッセージを送出した後、相手装置と通話可能とする構成を採る。
【００１０】
この構成によれば、制御手段が設定手段にメッセージ中にインターホン通話を示す情報の設定を指示することでインターホン通話を示す情報が設定されたメッセージが相手装置に送出され、これに応じて相手装置との間でインターホン通話により通話を行うことができる。インターホン通話による通話を行う際には、相手装置でオフフック動作などの使用者の着信動作を必要とせず音声入出力手段が自動的に起動されるので、相手装置の使用者において着信動作を省略することができる。この結果、従来のアナログ電話装置に適用されてきた簡易な方式による通話を、より簡単な操作でＩＰ電話装置にて実現することができる。
【００１１】
本発明の第２の態様は、第１の態様に係るＩＰ電話装置において、装置本体の使用者からインターホン通話による通話指示を受け付ける指示手段を具備し、前記制御手段は、前記指示手段がインターホン通話による通話指示を受け付けると、前記設定手段に前記メッセージ中にインターホン通話を示す情報の設定を指示する構成を採る。
【００１２】
この構成によれば、指示手段がインターホン通話による通話指示を受け付けると、設定手段にメッセージ中にインターホン通話を示す情報の設定が指示されるので、指示手段に対する指示に応じてインターホン通話を示す情報を設定したメッセージが相手装置に送出される。このため、装置本体の使用者の指示に応じてインターホン通話を示す情報を設定したメッセージを相手装置に送出することができる。
【００１３】
本発明の第３の態様は、第２の態様に係るＩＰ電話装置において、前記指示手段に、インターホン通話により通話を行う相手装置の識別情報が対応付けられている構成を採る。
【００１４】
この構成によれば、指示手段にインターホン通話による通話を行う相手装置の識別情報が対応付けられているので、指示手段に対する指示をするだけで特定の相手装置にインターホン通話を示す情報を設定したメッセージが送出され、これに応じてこの特定の相手装置とインターホン通話により通話を行うことができる。
【００１５】
本発明の第４の態様が、第１から第３のいずれかの態様に係るＩＰ電話装置において、前記送信手段でインターホン通話を示す情報を設定したメッセージを送出した後、相手装置から呼び出し中の応答メッセージを検出した場合、相手装置における着信動作に応じて通話可能とする構成を採る。
【００１６】
この構成によれば、相手装置から呼び出し中の応答メッセージを検出した場合、相手装置における着信動作に応じて通話可能となるので、インターホン通話を示す情報を設定したメッセージを送出した後でも、相手装置の着信動作に応じて通話を行うことができる。
【００１７】
本発明の第５の態様に係るＩＰ電話装置は、通信プロトコルに規定されたメッセージを受信する受信手段と、前記メッセージの設定内容に応じて音声入出力手段の起動又は停止を指示する制御手段とを、具備し、前記制御手段は、自動的に音声入出力手段を起動して通話可能な状態となるインターホン通話を示す情報が設定された前記メッセージを前記受信手段で受信すると、自動的に前記音声入出力手段を起動して相手装置と通話可能とする構成を採る。
【００１８】
この構成によれば、インターホン通話を示す情報が設定されたメッセージを受信すると自動的に音声入出力手段を起動して相手装置と通話可能となるので、これに応じて相手装置との間でインターホン通話により通話を行うことができる。インターホン通話により通話を行う際には、装置本体の使用者における着信動作を必要とせず音声入出力手段が起動されるので、使用者において着信動作を省略することができる。この結果、従来のアナログ電話装置に適用されてきた簡易な方式による通話を、より簡単な操作でＩＰ電話装置にて実現することができる。
【００１９】
本発明の第６の態様は、第５の態様に係るＩＰ電話装置において、インターホン通話による通話を許可する発信者情報を記憶する記憶手段を具備し、前記制御手段は、前記メッセージ中に含まれる発信者情報が前記記憶手段の発信者情報と一致する場合、前記音声入出力手段を自動的に起動して相手装置と通話可能とする構成を採る。
【００２０】
この構成によれば、制御手段が記憶手段に記憶された発信者情報と一致する場合にインターホン通話による通話を行わせるので、特定の相手装置に限定してインターホン通話による通話を行うことができる。
【００２１】
本発明の第７の態様は、第５の態様に係るＩＰ電話装置において、インターホン通話による通話を許可する発信者情報を記憶する記憶手段を具備し、前記制御手段は、前記メッセージ中に含まれる発信者情報が前記記憶手段の発信者情報と一致しない場合、着信音を鳴動し装置本体の使用者による着信動作を検出すると前記音声入出力手段を起動して、相手装置と通話可能とする構成を採る。
【００２２】
この構成によれば、制御手段が記憶手段に記憶された発信者情報と一致しない場合に着信動作に応じて相手装置と通話可能とするので、インターホン通話を示す情報を設定したメッセージを受信した場合でも、装置本体の使用者の着信動作に応じて相手装置と通話を行うことができる。
【００２３】
本発明の第８の態様は、第５又は第６の態様に係るＩＰ電話装置において、前記制御手段は、インターホン通話による通話を行っている場合に相手装置から切断を示すメッセージを検出すると前記音声入出力手段を停止する構成を採る。
【００２４】
この構成によれば、制御手段が相手装置から切断を示すメッセージを検出すると音声入出力手段を停止するので、使用者においてオンフック動作などの切断動作を省略することができる。この結果、従来のアナログ電話装置に適用されてきた簡易な方式による通話を、より簡単な操作でＩＰ電話装置にて実現することができる。
【００２５】
本発明の第９の態様は、第１から第８のいずれかの態様に係るＩＰ電話装置において、前記メッセージ又は応答メッセージは、ＳＩＰプロトコルに規定されたメッセージ又は応答メッセージである構成を採る。
【００２６】
この構成によれば、メッセージ又は応答メッセージは、ＳＩＰプロトコルに規定されたメッセージ又は応答メッセージであるので、ＳＩＰプロトコルに従って本ＩＰ電話装置の制御を実行することができる。
【００２７】
本発明の第１０の態様に係るＩＰ電話システムは、自動的に音声入出力手段を起動して通話可能な状態となるインターホン通話により通話可能な複数のＩＰ電話装置から構成されるＩＰ電話システムであって、送信側のＩＰ電話装置から通信プロトコルに規定されたメッセージ中にインターホン通話を示す情報を設定して受信側のＩＰ電話装置に送出し、受信側のＩＰ電話装置でインターホン通話を示す情報が設定された前記メッセージを検出すると前記音声入出力手段を自動的に起動し、送信側のＩＰ電話装置との間で通話可能とする構成を採る。
【００２８】
この構成によれば、受信側のＩＰ電話装置でインターホン通話を示す情報が設定されたメッセージを検出すると自動的に音声入出力手段を起動し、送信側のＩＰ電話装置との間でインターホン通話による通話が行われるので、受信側のＩＰ電話装置の使用者においてオフフック動作などの着信動作を省略することができる。この結果、従来のアナログ電話装置に適用されてきた簡易な方式による通話を、より簡単な操作でＩＰ電話装置にて実現することができる。
【００２９】
本発明の第１１の態様に係る通話方法は、自動的に音声入出力手段を起動して通話可能な状態となるインターホン通話により通話可能な複数のＩＰ電話装置を用いた通話方法であって、送信側のＩＰ電話装置から通信プロトコルに規定されたメッセージ中にインターホン通話を示す情報を設定して受信側のＩＰ電話装置に送出し、受信側のＩＰ電話装置でインターホン通話を示す情報が設定された前記メッセージを検出すると前記音声入出力手段を自動的に起動し、送信側のＩＰ電話装置との間で通話可能とするものである。
【００３０】
この方法によれば、受信側のＩＰ電話装置でインターホン通話を示す情報が設定されたメッセージを検出すると自動的に音声入出力手段を起動し、送信側のＩＰ電話装置との間でインターホン通話による通話が行われるので、受信側のＩＰ電話装置の使用者においてオフフック動作などの着信動作を省略することができる。この結果、従来のアナログ電話装置に適用されてきた簡易な方式による通話を、より簡単な操作でＩＰ電話装置にて実現することができる。
【００３１】
以下、本発明の実施の形態について、図面を参照して詳細に説明する。
【００３２】
図１は、本発明の一実施の形態に係るＩＰ電話装置（以下、「ＩＰ電話」という）が適用されるＩＰ電話システムのネットワークの構成を示す図である。
【００３３】
本実施の形態に係るＩＰ電話１０１〜１０６は、例えば、企業内に構築されたＷＡＮ（Wide Area Network）１０７の一部を構成するＬＡＮ(Local Area Network)１０８に接続されている。ＷＡＮ１０７は、ゲートウェイ１０９を介して公衆電話交換網（ＰＳＴＮ:Public Switched Telephone Network）１１０に接続されている。
【００３４】
なお、ここでは、本実施の形態に係るＩＰ電話１０１〜１０６が接続されるネットワークとしてＷＡＮ１０７を用いて説明するが、これに限定されず、企業内における一定のセキュリティが維持されたネットワークであれば、いかなるネットワークにも適用することが可能である。
【００３５】
ＩＰ電話１０１〜１０６は、ＬＡＮ１０８における拠点１〜３に割り振られている。各拠点１〜３は、例えば、企業内における部署に対応して設けられている。以下の説明においては、ＩＰ電話１０１及び１０２が拠点１に割り振られ、ＩＰ電話１０３及び１０４が拠点２に割り振られ、ＩＰ電話１０５及び１０６が拠点３に割り振られているものとする。
【００３６】
ＬＡＮ１０８に接続されたＩＰ電話１０１〜１０６には、内線番号が割り当てられている。ＩＰ電話１０１〜１０６には内線番号として、それぞれ”２０１”〜”２０６”が割り当てられている。一方、各拠点には、拠点番号が割り当てられている。拠点１〜３には拠点番号として、それぞれ”９０１”〜”９０３”が割り当てられている。
【００３７】
ＬＡＮ１０８上のＩＰ電話から、ＬＡＮ１０８上の他のＩＰ電話に対して発呼する場合には、拠点番号と内線番号とを組み合わせて発呼することができる。なお、本ＩＰ電話システムにおいては、拠点が同一の場合には拠点番号を省略して内線番号のみで発呼することができる。一方、拠点が異なる場合には内線番号の前に拠点番号を付加することで発呼することができる。
【００３８】
ＬＡＮ１０８上のＩＰ電話から、ＷＡＮ１０７が接続されるＰＳＴＮ１１０上に存在する電話装置（以下、「外部電話」という）１１１及び１１２に発呼する場合には、当該外部電話に割り当てられた電話番号で発呼する。なお、この場合、本ＩＰ電話システムにおいては、電話番号の前に”０”を付加して発呼動作を行う。
【００３９】
なお、外部電話１１１は、本ＩＰ電話システムが設置されている区画と異なる区画（市外）に設置され、電話番号として”０６−９８７６５４３２”が割り当てられているものとする。外部電話１１２は、本ＩＰ電話システムと同一の区画（市内）に設置され、電話番号として”０３−１２３４５６７８”が割り当てられているものとする。本ＩＰ電話システムにおいては、同一区画に設置された外部電話１１２に発呼する場合には市外局番（０３）を省略して発呼することができる。
【００４０】
ＬＡＮ１０８上のＩＰ電話から、ＬＡＮ１０８上の他のＩＰ電話又は外部電話に対して発呼する場合、各ＩＰ電話１０１〜１０６は、ＶｏＩＰ（Voice over IP）サーバ１１３を介して発呼動作を行う。ＶｏＩＰサーバ１１３は、ＬＡＮ１０８を介して発呼元のＩＰ電話との通信を制御する一方、ＩＰネットワークを介して発呼先のＩＰ電話又は外部電話との通信を制御する。
【００４１】
図２は、本実施の形態に係るＩＰ電話との通信を制御するＶｏＩＰサーバ１１３の構成を示すブロック図である。
【００４２】
同図に示すように、ＶｏＩＰサーバ１１３は、ＬＡＮ制御部２０１、ＶｏＩＰプロトコル制御部２０２、ＶｏＩＰ接続制御部２０３及びメモリ２０４を備えている。
【００４３】
ＬＡＮ制御部２０１は、ＬＡＮ１０８を介して通信先のＩＰ電話との間の通信を制御する。ＶｏＩＰプロトコル制御部２０２は、通信データをＳＩＰ（Session Initiation Protocol）プロトコルに適合させるためのプロトコル変換処理を行う。ＶｏＩＰ接続制御部２０３は、通信先であるＩＰ電話又は外部電話との間の呼制御を行う。メモリ２０４は、ＶｏＩＰ接続制御部２０３が呼制御を行う際に用いる通信先の識別情報等を格納している。
【００４４】
図３は、本実施の形態に係るＩＰ電話１０１〜１０６の構成を示すブロック図である。ＩＰ電話１０１〜１０６は、同一の構成を有する。図３においては、説明の便宜上、ＩＰ電話１０２を代表例として説明する。
【００４５】
同図に示すように、ＩＰ電話１０２は、ＬＡＮ制御部３０１、ＶｏＩＰプロトコル制御部３０２及びアプリケーション制御部３０３を備える。ＬＡＮ制御部３０１は、ＬＡＮ１０８を介して通信先のＶｏＩＰサーバ１１３との間の通信を制御する。ＶｏＩＰプロトコル制御部３０２は、通信データをＳＩＰ（Session Initiation Protocol）プロトコルに適合させるためのプロトコル変換処理を行う。アプリケーション制御部３０３は、通信先であるＶｏＩＰサーバ１１３との間の呼制御を行う。メモリ３０４は、アプリケーション制御部３０３が呼制御を行う際に用いる通信先の識別情報等を格納している。
【００４６】
アプリケーション制御部３０３に音声制御部３０５、表示制御部３０６及びキー制御部３０７が接続されている。アプリケーション制御部３０３は、ＶｏＩＰプロトコル制御部３０２、並びに、音声制御部３０５、表示制御部３０６及びキー制御部３０７に指示を与え、後述する処理フローを実行する。
【００４７】
音声制御部３０５は、アプリケーション制御部３０３の指示の下、接続される音声入出力装置３０８における音声の出力又は入力を制御する。音声入出力装置３０８は、受話器を有し、使用者からの音声を受け付ける一方、使用者への音声を出力する。表示制御部３０６は、アプリケーション制御部３０３の指示の下、接続される表示部３０９における表示を制御する。表示部３０９は、現在のＩＰ電話１０２の状態や通信先の電話番号又は着信履歴等を表示する。キー制御部３０７は、接続されるキーパッド３１０からの入力を受け付ける。キーパッド３１０は、ダイヤルキー及び機能キーなどの使用者が指示入力するキーを備える。
【００４８】
このような構成を有し、本実施の形態に係るＩＰ電話は、ＶｏＩＰサーバ１１３を介して通信先であるＬＡＮ１０８上の他のＩＰ電話又は外部電話からの発呼に応じて通話することが可能である。かかる通話の際、ＩＰ電話が着信して着信音を鳴動し、これに対しオフフック動作などの着信動作を使用者が行うことで通信先との通話が可能となり、オンフック動作などの切断動作を使用者が行うことで通信先との通話が完了する。以下の説明においては、この受信側のＩＰ電話の使用者による着信動作及び切断動作を必要とする通話を「通常通話」という。
【００４９】
この通常通話に加え、本実施の形態に係るＩＰ電話は、特定の通信先から着信した場合に、受信側のＩＰ電話の使用者による何らかの動作を必要としないで通話をすることが可能である。すなわち、特定の通信先から発呼があると、使用者は、オフフック動作などの着信動作を行うことなく通信先との通話が可能となり、オンフック動作などの切断動作を行うことなく通信先との通話が完了する。以下の説明においては、この受信側のＩＰ電話の使用者による着信動作及び切断動作を必要としない通話を「インターホン通話」というものとする。
【００５０】
本実施の形態に係るＩＰ電話１０２において、上記インターホン通話を行う場合、アプリケーション制御部３０３は、発呼してきた通信先が特定の通信先であるか判断し、該当する場合にはインターホン通話を許容する。特定の通信先であるか判断する際、アプリケーション制御部３０３は、メモリ３０４に格納されたインターホン通話許容発信番号テーブル（以下、「許容番号テーブル」という）の登録内容に応じて判断する。
【００５１】
図４は、本実施の形態に係るＩＰ電話１０２のメモリ３０４に格納された許容番号テーブルの登録内容の一例を示す図である。
【００５２】
同図に示すように、ＩＰ電話１０２の許容番号テーブルには、番号１〜６の６つのインターホン通話許容発信番号が登録されている。具体的には、番号１に”９０１２０１”が登録され、番号２に”９０２２０４”が登録され、番号３に”９０３２０５”が登録され、番号４に”９０３２０６”が登録され、番号５に”０３−１２３４５６７８”が登録され、番号６に”０６−９８７６５４３２”が登録されている。すなわち、ＩＰ電話１０２は、ＩＰ電話１０１、１０４、１０５及び１０６、並びに、外部電話１１１及び１１２との間でインターホン通話を許容する。
【００５３】
一方、本実施の形態にかかるＩＰ電話１０２において、ＬＡＮ１０８上の他のＩＰ電話とインターホン通話を行う場合には、キーパッド３１０の機能キーを選択する。機能キーには、本実施の形態に係るＩＰ電話１０２で実行可能な機能を設定することができる。機能キーに設定された機能は、機能キー登録テーブルに登録される。
【００５４】
例えば、複数のＩＰ電話に対して一斉に着信が入った場合にその着信に対応することができる「代表一斉着信」、特定のＩＰ電話に対して着信が入った場合に他のＩＰ電話でその着信に対応することができる「ピックアップ着信」、いずれかの使用者により保留された着信に対して他のＩＰ電話でその着信の保留を解除して対応することができる「パーク保留」及び特定の通信先とインターホン通話をするために発呼動作を行う「インターホン発信」を設定することができる。なお、この「インターホン発信」を機能キーに設定する場合には、これと同時にインターホン通話のための通信先が指定される。
【００５５】
図５は、本実施の形態に係るＩＰ電話１０２のメモリ３０４に格納された機能キー登録テーブルの登録内容の一例を示す図である。
【００５６】
同図に示すように、ＩＰ電話１０２の機能キー登録テーブルには、機能キー１〜１０のそれぞれに対して各機能が登録されている。具体的には、機能キー１〜３に拠点１における「代表一斉着信」が登録され、機能キー４に拠点２における「ピックアップ着信」が登録され、機能キー５にＩＰ電話１０１に対する「インターホン発信」が登録され、機能キー６〜１０に拠点３における「パーク保留」が登録されている。すなわち、ＩＰ電話１０１の使用者とインターホン通話を希望する場合、ＩＰ電話１０２の使用者から機能キー５が選択される。ＩＰ電話１０２の使用者はハンドセットをオフフックしてから機能キー５を押下してもよいし、スピーカーホンなどのハンドセットを置いたまま通話が可能となるモードとしてから機能キー５を押下してもよい。
【００５７】
以下、上記構成を有するＩＰ電話１０２がＬＡＮ１０８上のＩＰ電話１０１及び１０３からインターホン発信を受けた場合の動作について説明する。ここでは、ＩＰ電話１０２の許容番号テーブルには、図４で説明したインターホン通話許容番号が登録されているものとする。
【００５８】
まず、ＩＰ電話１０２がＬＡＮ１０８上のＩＰ電話１０１からインターホン発信を受けた場合の動作について説明する。
【００５９】
図６は、本実施の形態に係るＩＰ電話１０２がＬＡＮ１０８上のＩＰ電話１０１からインターホン発信を受けた場合の動作について説明するためのシーケンス図である。
【００６０】
ＩＰ電話１０１の使用者がＩＰ電話１０２との間でインターホン通話を希望する場合、ＩＰ電話１０１のキーパッド３１０からインターホン発信が設定された機能キーが選択される。なお、選択された機能キーには、通信先としてＩＰ電話１０２の識別情報が設定されているものとする。当該機能キーが選択されると、ＳＩＰで定義されている”ＩＮＶＩＴＥリクエスト”がＶｏＩＰサーバ１１３に出力される。ＶｏＩＰサーバ１１３は、この”ＩＮＶＩＴＥリクエスト”を受け取ると、これを発信先であるＩＰ電話１０２に転送する。
【００６１】
図７は、ＩＰ電話１０１及びＶｏＩＰサーバ１１３が出力又は転送する”ＩＮＶＩＴＥリクエスト”のメッセージの構成を説明するための図である。なお、ここでは、ＩＰ電話１０１のアドレスとして”９０１２０１＠ｖｏｉｐ．ｎｅ．ｊｐ”が設定され、ＩＰ電話１０２のアドレスとして”９０１２０２＠ｖｏｉｐ．ｎｅ．ｊｐ”が設定され、ＶｏＩＰサーバ１１３のアドレスとして”ＵＤＰ＠ｖｏｉｐ．ｎｅ．ｊｐ”が設定されているものとする。
【００６２】
”ＩＮＶＩＴＥリクエスト”のメッセージにおいては、第１行目に示すように、発信先であるＩＰ電話１０２のアドレス”９０１２０２＠ｖｏｉｐ．ｎｅ．ｊｐ”が設定され、第２行目に示すように、ＶｏＩＰサーバ１１３のアドレス”ＵＤＰ＠ｖｏｉｐ．ｎｅ．ｊｐ”、ポート番号及びブランチ番号が設定されている。また、第３行目に示すように、”Ｆｒｏｍ”に発信元であるＩＰ電話１０１のアドレス”９０１２０１＠ｖｏｉｐ．ｎｅ．ｊｐ”が設定され、第４行目に示すように、”Ｔｏ”に発信先であるＩＰ電話１０２のアドレス”９０１２０２＠ｖｏｉｐ．ｎｅ．ｊｐ”が設定されている。
【００６３】
”Ｆｒｏｍ”におけるアドレスの後方には、下線部で示すように、発信元の端末種別を示す情報（ｕｓｅｒ）が設定される。通常の通話においては、”ｐｈｏｎｅ”や”ｇａｔｅｗａｙ”などの情報が設定される。しかし、本実施の形態に係るＩＰ電話においては、通信先との間でインターホン通話を希望する場合、ここに”ｉｎｔｅｒｐｈｏｎｅ”と設定する。すなわち、”ＩＮＶＩＴＥリクエスト”における発信元の端末種別を示す情報を検出することでインターホン通話が要求されているか判別することができる。一方、”Ｔｏ”におけるアドレスの後方には、当該呼を識別するための情報（ｔａｇ）が設定される。
【００６４】
上述のようなインターホン通話を示す情報が設定された”ＩＮＶＩＴＥリクエスト”が機能キーの選択に応じて通信先に送出される。特に、機能キーには通信先としてＩＰ電話１０２が対応付けられている。このため、ＩＰ電話１０１の使用者は、当該機能キーを選択するだけで特定のＩＰ電話（１０２）にインターホン通話を示す情報が設定された”ＩＮＶＩＴＥリクエスト”を送出することができる。
【００６５】
”ＩＮＶＩＴＥリクエスト”を受け取ると、ＩＰ電話１０２は、”ＩＮＶＩＴＥリクエスト”を受け取ったことを示す”ＡＣＫ”をＶｏＩＰサーバ１１３に出力する。ＶｏＩＰサーバ１１３は、この”ＡＣＫ”を受け取ると、発信元であるＩＰ電話１０１に転送する。
【００６６】
”ＡＣＫ”をＶｏＩＰサーバ１１３に出力した後、ＩＰ電話１０２は、“ＩＮＶＩＴＥリクエスト”からインターホン通話であることを判別し、発信元のＩＰ電話１０１の電話番号（発信番号）”９０１２０１”が許容番号テーブルに登録されているか判断する。図４に示すように、許容番号テーブルには、ＩＰ電話１０１の電話番号が登録されている。この場合、ＩＰ電話１０２は、”２００ＯＫレスポンス”をＶｏＩＰサーバ１１３に出力する。ＶｏＩＰサーバ１１３は、この”２００ＯＫレスポンス”を受け取ると、発信元であるＩＰ電話１０１に転送する。
【００６７】
”２００ＯＫレスポンス”を受け取ると、ＩＰ電話１０１は、”２００ＯＫレスポンス”を受け取ったことを示す”ＡＣＫ”をＶｏＩＰサーバ１１３に出力する。ＶｏＩＰサーバ１１３は、この”２００ＯＫレスポンス”を受け取ると、発信先であるＩＰ電話１０２に転送する。
【００６８】
この”ＡＣＫ”を受け取ると、ＩＰ電話１０２においては、自動的に音声入出力装置３０８がオン状態となる。このとき、オン状態となったことをＩＰ電話１０２の使用者に知らせるために、例えば「ピンポーン」等の音を鳴らすようにしてもよい。音声入出力装置３０８のオン状態により、ＩＰ電話１０１とＩＰ電話１０２との間のインターホン通話が可能となる。
【００６９】
インターホン通話により要件を済ませたＩＰ電話１０１の使用者がオンフック動作などの切断動作を行うことで切断が指示されると、”ＢＹＥリクエスト”がＶｏＩＰサーバ１１３に出力される。ＶｏＩＰサーバ１１３は、この”ＢＹＥリクエスト”を受け取ると、発信先であるＩＰ電話１０２に転送する。
【００７０】
この”ＢＹＥリクエスト”を受け取ると、ＩＰ電話１０２においては、自動的に音声入出力装置３０８がオフ状態となる。そして、ＩＰ電話１０２は、”２００ＯＫレスポンス”をＶｏＩＰサーバ１１３に出力する。ＶｏＩＰサーバ１１３は、この”２００ＯＫレスポンス”を受け取ると、発信元であるＩＰ電話１０１に転送する。これにより、ＩＰ電話１０１とＩＰ電話１０２との間のインターホン通話が完了する。
【００７１】
このように本実施の形態に係るＩＰ電話システムによれば、送信側のＩＰ電話１０１からインターホン通話を示す情報を設定した”ＩＮＶＩＴＥリクエスト”を送出し、受信側のＩＰ電話１０２でこの”ＩＮＶＩＴＥリクエスト”を検出すると、自動的に音声入出力装置３０８を起動し、送信側のＩＰ電話１０１との間でインターホン通話を行う。インターホン通話を行う際には、受信側のＩＰ電話１０２でオフフック動作などの着信動作を必要とせず、着信したらすぐに自動的に音声入出力装置３０８が起動されるので、ＩＰ電話１０２の使用者においてオフフック動作などの着信動作を省略することができる。また、インターホン通話を開始した後、送信側のＩＰ電話１０１から送出された切断を示す”ＢＹＥリクエスト”を検出すると、音声入出力装置３０８が自動的に停止されるので、使用者においてオンフック動作などの切断動作を省略することができる。この結果、従来のアナログ電話装置で実現されていた簡易な方式による通話を、より簡単な操作でＩＰ電話装置にて実現することができる。
【００７２】
特に、本実施の形態に係るＩＰ電話システムによれば、発信してきたＩＰ電話や外部電話の電話番号（発信番号）が許容番号テーブルに登録された内容と一致する場合にインターホン通話を行わせるので、特定の通信先に限定してインターホン通話を行うことができる。
【００７３】
次に、ＩＰ電話１０２がＬＡＮ１０８上のＩＰ電話１０３からインターホン発信を受けた場合の動作について説明する。
【００７４】
図８は、本実施の形態に係るＩＰ電話１０２がＬＡＮ１０８上のＩＰ電話１０３からインターホン発信を受けた場合の動作について説明するためのシーケンス図である。
【００７５】
ＩＰ電話１０３から”ＩＮＶＩＴＥリクエスト”をＶｏＩＰサーバ１１３を介してＩＰ電話１０２に出力する一方、ＩＰ電話１０２から”ＡＣＫ”をＶｏＩＰサーバ１１３を介してＩＰ電話１０３に出力すると共に、発信元のＩＰ電話の電話番号（発信番号）が許容番号テーブルに登録されているか判断する処理は、図６と同様である。
【００７６】
図８においては、発信元のＩＰ電話の電話番号の判断において、発信元のＩＰ電話１０３の電話番号”９０２２０３”が許容番号テーブルに登録されているか判断される。しかしながら、図４に示すように、許容番号テーブルには、ＩＰ電話１０３の電話番号が登録されていない。この場合、ＩＰ電話１０２は、図６の場合と異なり、”１８０Ｒｉｎｇｉｎｇレスポンス”をＶｏＩＰサーバ１１３に出力する。ＶｏＩＰサーバ１１３は、この”１８０Ｒｉｎｇｉｎｇレスポンス”を受け取ると、発信元であるＩＰ電話１０３に転送する。
【００７７】
”１８０Ｒｉｎｇｉｎｇレスポンス”を受け取ると、ＩＰ電話１０３は、音声入出力装置３０８を用いて相手を呼び出し中であることを表す呼出音を鳴動する。一方、”１８０Ｒｉｎｇｉｎｇレスポンス”を出力した後、ＩＰ電話１０２は、音声入出力装置３０８を用いて着信音を鳴動する。そして、ＩＰ電話１０２の使用者がオフフック動作（応答）などの着信動作を行ったならば、ＩＰ電話１０２は、”２００ＯＫレスポンス”をＶｏＩＰサーバ１１３に出力する。ＶｏＩＰサーバ１１３は、この”２００ＯＫレスポンス”を受け取ると、発信元であるＩＰ電話１０３に転送する。
【００７８】
”２００ＯＫレスポンス”を受け取ると、ＩＰ電話１０３は、”２００ＯＫレスポンス”を受け取ったことを示す”ＡＣＫ”をＶｏＩＰサーバ１１３に出力する。ＶｏＩＰサーバ１１３は、この”ＡＣＫ”を受け取ると、発信先であるＩＰ電話１０２に転送する。
【００７９】
この”ＡＣＫ”を受け取ると、ＩＰ電話１０２は、音声入出力装置３０８をオン状態とする。これにより、ＩＰ電話１０３とＩＰ電話１０２との間の通常通話が可能となる。
【００８０】
通常通話により要件を済ませたＩＰ電話１０３の使用者がオンフック動作を行うことで切断が指示されると、”ＢＹＥリクエスト”がＶｏＩＰサーバ１１３に出力される。ＶｏＩＰサーバ１１３は、この”ＢＹＥリクエスト”を受け取ると、発信先であるＩＰ電話１０２に転送する。
【００８１】
この”ＢＹＥリクエスト”を受け取ると、ＩＰ電話１０２においては、音声入出力装置３０８を用いて切断通知音を鳴動する。一方、ＩＰ電話１０２は、”２００ＯＫレスポンス”をＶｏＩＰサーバ１１３に出力する。ＶｏＩＰサーバ１１３は、この”２００ＯＫレスポンス”を受け取ると、発信元であるＩＰ電話１０３に転送する。
【００８２】
切断通知音を鳴動した後、ＩＰ電話１０２の使用者がオンフック動作を行ったならば、音声入出力装置３０８をオフ状態とする。これにより、ＩＰ電話１０３とＩＰ電話１０２との間の通常通話が完了する。
【００８３】
このように本実施の形態に係るＩＰ電話システムによれば、送信側のＩＰ電話１０３でインターホン通話を示す情報を設定した”ＩＮＶＩＴＥリクエスト”を送出した後、受信側のＩＰ電話１０２から”１８０Ｒｉｎｇｉｎｇレスポンス”を応答した場合、受信側のＩＰ電話１０２におけるオフフック動作などの着信動作に応じて通常通話を行う。したがって、インターホン通話を示す情報を設定した”ＩＮＶＩＴＥリクエスト”を送出した後でも、ＩＰ電話１０２の使用者の着信動作に応じて通常通話に切り替えて通話を行うことができる。
【００８４】
特に、本実施の形態に係るＩＰ電話システムによれば、発信してきたＩＰ電話や外部電話の電話番号（発信番号）が許容番号テーブルに登録された内容と一致しない場合に受信側のＩＰ電話１０２の使用者によるオフフック動作に応じて通常通話を行うので、インターホン通話を示す情報を設定した”ＩＮＶＩＴＥリクエスト”を受信した後でも通常通話に切り替えて通話を行うことができる。
【００８５】
図９は、本実施の形態に係るＩＰ電話１０２において、インターホン発信に応答する場合の動作を説明するためのフロー図である。
【００８６】
ＩＰ電話１０２は、常時、”ＩＮＶＩＴＥリクエスト”を受信するか監視しており、これを受信すると（ＳＴ９０１）、”ＩＮＶＩＴＥリクエスト”のメッセージにインターホン通話が指定されているか判断する（ＳＴ９０２）。ここでは、インターホン通話が指定されているものとする。
【００８７】
インターホン通話が指定されている場合には、ＩＰ電話１０２は、”ＩＮＶＩＴＥリクエスト”から発信番号を抽出し、許容番号テーブルにおけるインターホン通話許容発信番号の検索を行う（ＳＴ９０３）。そして、抽出した発信番号がインターホン通話許容発信番号であるか判断する（ＳＴ９０４）。
【００８８】
抽出した発信番号がインターホン通話許容発信番号であったならば、インターホン通話に対する着信処理（以下、「インターホン着信処理」という）を行う（ＳＴ９０５）。具体的には、”２００ＯＫレスポンス”を通信先に送出すると共に、音声入出力装置３０８をオン状態にし、さらにメモリ３０４の所定領域に設定されたインターホンフラグをオン状態とする。そして、通信先との間でインターホン通話を行う（ＳＴ９０６）。
【００８９】
インターホン通話を開始した後、ＩＰ電話１０２は、通信先から”ＢＹＥリクエスト”を受信するか監視しており、これを受信すると（ＳＴ９０７）、インターホンフラグがオン状態であるか判断する（ＳＴ９０８）。ここでは、インターホンフラグがオン状態となっている。
【００９０】
インターホンフラグがオン状態である場合には、インターホン通話を終了する処理（以下、「インターホン終了処理」という）を行い（ＳＴ９０９）、処理を終了する。具体的には、音声入出力装置３０８をオフ状態とすると共に、インターホンフラグをオフ状態とする。ここでは、インターホンフラグがオン状態になっているので、インターホン終了処理が行われる。
【００９１】
一方、ＳＴ９０２でインターホン通話が指定されていない場合及びＳＴ９０４で抽出した発信番号がインターホン通話許容発信番号でない場合には、通常通話に対する着信処理(以下、「通常着信処理」という)を行う（ＳＴ９１０）。具体的には、”１８０Ｒｉｎｇｉｎｇレスポンス”を送出すると共に、音声入出力装置３０８を用いて着信音を鳴動させる。
【００９２】
その後、使用者がオフフック動作を行ったならば、このオフフック動作に応じて”２００ＯＫレスポンス”を送出すると共に、音声入出力装置３０８をオン状態とする（ＳＴ９１１）。そして、通信先との間で通常通話を行う（ＳＴ９０６）。
【００９３】
通常通話を開始した後、通信先から”ＢＹＥリクエスト”を受信するか監視しており、これを受信すると（ＳＴ９０７）、インターホンフラグがオン状態であるか判断する（ＳＴ９０８）。ここでは、インターホンフラグがオフ状態となっている。
【００９４】
インターホンフラグがオフ状態である場合には、ＩＰ電話１０２は、音声入出力装置３０８を用いて切断通知音を使用者に報知する（ＳＴ９１２）。そして、使用者よりオンフック動作などの切断動作があったならば、この切断動作に応じて音声入出力装置３０８をオフ状態として処理を終了する（ＳＴ９１３）。
【００９５】
以上説明したように、本実施の形態に係るＩＰ電話システムは、着信に対するオフフック動作などの使用者の着信動作に応じて音声入出力装置３０８を起動して通話を行う通常通話又はオフフック動作などの使用者による着信動作を必要とせず、着信したらすぐに自動的に音声入出力装置３０８を起動して通話を行うインターホン通話を行うことのできる複数のＩＰ電話装置から構成されるＩＰ電話システムにおいて、送信側のＩＰ電話からＳＩＰプロトコルに規定された”ＩＮＶＩＴＥリクエスト”中にインターホン通話を示す情報を設定して受信側のＩＰ電話に送出し、受信側のＩＰ電話でこの”ＩＮＶＩＴＥリクエスト”を検出すると音声入出力装置３０８を起動し、送信側のＩＰ電話との間でインターホン通話を行う。これによれば、従来のアナログ電話装置に適用されていた簡易な方式による通話を、より簡単な操作でＩＰ電話装置にて実現することができるという効果を奏する。
【００９６】
また、本発明は、当業者に明らかなように、上記実施の形態に記載した技術に従ってプログラムされた一般的な市販のデジタルコンピュータおよびマイクロプロセッサを使って実施することができる。また、当業者に明らかなように、本発明は、上記実施の形態に記載した技術に基づいて当業者により作成されるコンピュータプログラムを包含する。
【００９７】
また、本発明を実施するコンピュータをプログラムするために使用できる命令を含む記憶媒体であるコンピュータプログラム製品が本発明の範囲に含まれる。この記憶媒体は、フロッピー（Ｒ）ディスク、光ディスク、ＣＤＲＯＭ及び磁気ディスク等のディスク、ＲＯＭ、ＲＡＭ、ＥＰＲＯＭ、ＥＥＰＲＯＭ、磁気光カード、メモリカードまたはＤＶＤ等であるが、特にこれらに限定されるものではない。
【産業上の利用可能性】
【００９８】
本発明に係るＩＰ電話装置及びＩＰ電話システム並びに通話方法によれば、ＩＰ電話において内線発呼とは別の方式により簡易に通話を行うことができ、ＩＰ電話の操作性能を高めることができる点で有用である。
【図面の簡単な説明】
【００９９】
【図１】本発明の一実施の形態に係るＩＰ電話が適用されるＩＰ電話システムのネットワークの構成を示す図
【図２】上記実施の形態に係るＩＰ電話との通信を制御するＶｏＩＰサーバの構成を示すブロック図
【図３】上記実施の形態に係るＩＰ電話の構成を示すブロック図
【図４】上記実施の形態に係るＩＰ電話のメモリに格納された許容番号テーブルの登録内容の一例を示す図
【図５】上記実施の形態に係るＩＰ電話のメモリに格納された機能キー登録テーブルの登録内容の一例を示す図
【図６】上記実施の形態に係るＩＰ電話がＬＡＮ上の他のＩＰ電話からインターホン発信を受けた場合の動作について説明するためのシーケンス図
【図７】上記実施の形態に係るＩＰ電話及びＶｏＩＰサーバが出力又は転送する”ＩＮＶＩＴＥリクエスト”のメッセージの構成を説明するための図
【図８】上記実施の形態に係るＩＰ電話がＬＡＮ上の他のＩＰ電話からインターホン発信を受けた場合の動作について説明するためのシーケンス図
【図９】上記実施の形態に係るＩＰ電話において、インターホン発信に応答する場合の動作を説明するためのフロー図
【符号の説明】
【０１００】
１０１〜１０６  ＩＰ電話装置（ＩＰ電話）
１０７  ＷＡＮ
１０８  ＬＡＮ
１０９  ゲートウェイ
１１０  ＰＳＴＮ
１１１，１１２  外部電話
１１３  ＶｏＩＰサーバ
２０１  ＬＡＮ制御部
２０２  ＶｏＩＰプロトコル制御部
２０３  ＶｏＩＰ接続制御部
２０４  メモリ
３０１  ＬＡＮ制御部
３０２  ＶｏＩＰプロトコル制御部
３０３  アプリケーション制御部
３０４  メモリ
３０５  音声制御部
３０６  表示制御部
３０７  キー制御部
３０８  音声入出力装置
３０９  表示部
３１０  キーパッド
【図１】
2005191729.tif 000003
【図２】
2005191729.tif 000004
【図３】
2005191729.tif 000005
【図４】
2005191729.tif 000006
【図５】
2005191729.tif 000007
【図６】
2005191729.tif 000008
【図７】
2005191729.tif 000009
【図８】
2005191729.tif 000010
【図９】
2005191729.tif 000011